(57)【要約】      （修正有）【課題】情報検索装置において、過去の検索画面のうち見たい検索画面まで一気に遡って見ることができるだけでなく、そこから迅速に新たな検索を行う。【解決手段】一連の検索動作に応じた検索対象画面Gan…や検索結果画面が生成されてタッチパネル17に表示される毎に、各検索画面Gan,…の画像Pns,Pnr,…と各画面生成時の動作データとが対応付けられて登録される。登録された各画像Pns,Pnr,…は検索履歴アイコンの操作に応じて検索履歴画像画面Gshに一覧表示される。一覧表示中の各画像Pns,Pnr,…を斜め上方向LUにタッチTすると前記検索対象画面Gan…の画像Pns…のみ一覧表示される。一覧から任意検索画面の画像Pnが選択されると該画像Pnに対応付けられて登録された動作データが再実行されその検索画面が生成表示される。【選択図】図９Ｄ
2014089677.tif 000002
【特許請求の範囲】
【請求項１】
表示部と、
ユーザ操作に応じた検索処理に対応して検索対象を含む検索対象画面と当該検索対象の検索結果を含む検索結果画面とを順次生成して前記表示部に表示させる検索画面生成手段と、
前記各検索画面が順次生成されて表示される毎の当該各検索画面の生成に伴う各動作情報を登録する検索履歴登録手段と、
この検索履歴登録手段により登録された各動作情報に対応する各検索画面の画像データのうち、前記検索対象画面の画像データのみ又は前記検索結果画面の画像データのみを前記表示部に一覧表示させる検索履歴絞り込み一覧表示制御手段と、
前記検索履歴絞り込み一覧表示制御手段により一覧表示された各検索画面の画像データの何れかをユーザ操作に応じて選択する履歴画像選択手段と、
この履歴画像選択手段により選択された画像データと対応付けられて前記検索履歴登録手段により登録されている動作データに基づき、当該画像データに対応する検索画面をユーザ操作可能に再生成して、前記表示部に表示させる検索画面再表示制御手段と、
を備えたことを特徴とする情報検索装置。
【請求項２】
前記検索履歴登録手段により登録された各検索画面の画像データを前記表示部に一覧表示させる検索履歴一覧表示制御手段を備え、
前記検索履歴絞り込み一覧表示制御手段は、前記検索履歴一覧表示制御手段により各検索画面の画像データが一覧表示された後、前記検索対象画面の画像データのみ又は前記検索結果画面の画像データのみを前記表示部に一覧表示させる、
ことを特徴とする請求項１に記載の情報検索装置。
【請求項３】
前記検索履歴一覧表示制御手段は、前記検索履歴登録手段により登録された各動作情報に対応する各検索画面の画像データを前記表示部に左右方向に順に並べて一覧表示させ、
前記検索履歴絞り込み一覧表示制御手段は、前記検索履歴一覧表示制御手段により左右方向に一覧表示された各検索画面の画像データに対する上方向又は下方向へのユーザ操作に応じて、当該各検索画面の画像データのうち、前記検索対象画面の画像データのみ又は前記検索結果画面の画像データのみを一覧表示させる、
ことを特徴とする請求項１又は請求項２に記載の情報検索装置。
【請求項４】
前記検索履歴絞り込み一覧表示制御手段は、前記検索履歴一覧表示制御手段により左右方向に一覧表示された各検索画面の画像データに対する斜め上方向又は斜め下方向へのユーザ操作に応じて、当該各検索画面の画像データのうち、前記検索対象画面の画像データのみ又は前記検索結果画面の画像データのみを一覧表示させる、
ことを特徴とする請求項３に記載の情報検索装置。
【請求項５】
前記履歴画像選択手段により一定時間以上同じ検索画面の画像データが選択されたか否かを判断する選択継続判断手段を備え、
前記検索画面再表示制御手段は、前記選択継続判断手段により一定時間以上同じ検索画面の画像データが選択されたと判断された場合に、当該選択された画像データと対応付けられて前記検索履歴登録手段により登録されている動作データに基づき、同画像データに対応する検索画面を再生成して前記表示部に表示させる、
ことを特徴とする請求項１ないし請求項４の何れか１項に記載の情報検索装置。
【請求項６】
任意のテキストデータを前記表示部に表示させるテキスト表示制御手段と、
このテキスト表示制御手段により表示されたテキストデータの中の任意の検索対象をユーザ操作に応じて指定する検索対象指定手段とを備え、
前記検索画面生成手段は、前記検索対象指定手段により指定された検索対象に基づく検索処理に対応して当該検索対象と一致する検索対象を含む検索対象画面と当該検索対象の検索結果を含む検索結果画面とを順次生成して前記表示部に表示させ、
前記一覧表示制御手段により各検索画面の画像データが前記表示部に一覧表示された後に、ユーザ操作に応じてユーザ登録モードを設定するユーザ登録モード設定手段と、
このユーザ登録モード設定手段によりユーザ登録モードが設定された状態で、前記一覧表示制御手段により一覧表示された各検索画面の画像データの何れかをユーザ操作に応じて指定する履歴画像指定手段と、
この履歴画像指定手段により指定された画像データを、前記テキスト表示制御手段により表示され前記検索対象指定手段により指定されたテキストデータの中の検索対象に対応付けて登録するユーザ登録手段と、
を備えたことを特徴とする請求項１ないし請求項５の何れか１項に記載の情報検索装置。
【請求項７】
検索履歴登録手段は、前記検索画面生成手段により前記各検索画面が順次生成されて表示される毎に、当該検索画面の画像データと当該検索画面の生成に伴う動作情報とを対応付けて登録する画像データ検索履歴登録手段を、
を備えたことを特徴とする請求項１ないし請求項６の何れか１項に記載の情報検索装置。
【請求項８】
表示部を備えた電子機器のコンピュータを制御するための情報検索方法であって、
ユーザ操作に応じた検索処理に対応して検索対象を含む検索対象画面と当該検索対象の検索結果を含む検索結果画面とを順次生成して前記表示部に表示させ、
前記検索処理に対応した各検索画面が順次生成されて表示される毎の当該各検索画面の生成に伴う動作情報を登録し、
この登録された各動作情報に対応する各検索画面の画像データのうち、前記検索対象画面の画像データのみ又は前記検索結果画面の画像データのみを前記表示部に一覧表示させ、
前記一覧表示された各検索画面の画像データの何れかをユーザ操作に応じて選択し、
この選択された画像データと対応付けられて前記登録されている動作データに基づき、当該画像データに対応する検索画面をユーザ操作可能に再生成して、前記表示部に表示させる、
ことを特徴とする情報検索方法。
【請求項９】
表示部を備えた電子機器のコンピュータを制御するためのプログラムであって、
前記コンピュータを、
ユーザ操作に応じた検索処理に対応して検索対象を含む検索対象画面と当該検索対象の検索結果を含む検索結果画面とを順次生成して前記表示部に表示させる検索画面生成手段、
前記検索画面生成手段により前記各検索画面が順次生成されて表示される毎の当該各検索画面の生成に伴う各動作情報を登録する検索履歴登録手段、
この検索履歴登録手段により登録された各動作情報に対応する各検索画面の画像データのうち、前記検索対象画面の画像データのみ又は前記検索結果画面の画像データのみを前記表示部に一覧表示させる検索履歴絞り込み一覧表示制御手段、
前記検索履歴絞り込み一覧表示制御手段により一覧表示された各検索画面の画像データの何れかをユーザ操作に応じて選択する履歴画像選択手段、
この履歴画像選択手段により選択された画像データと対応付けられて前記検索履歴登録手段により登録されている動作データに基づき、当該画像データに対応する検索画面をユーザ操作可能に再生成して、前記表示部に表示させる検索画面再表示制御手段、
として機能させるためのプログラム。
【発明の詳細な説明】
【技術分野】
【０００１】
本発明は、辞書情報等の情報を検索するための情報検索装置、情報検索方法、およびその制御プログラムに関する。
【背景技術】
【０００２】
例えば電子辞書での辞書情報の検索やＷｅｂ検索等では、関連する情報を辿って複数の検索表示画面に遷移して行った場合、１つ前の画面に戻る「戻る操作」を行なうことができる。そして、この「戻る操作」を何回も行なって、検索表示画面を逆に遡って表示させることができる。
【０００３】
従来の情報検索装置であって、繰り返されて検索された複数の検索結果を、「戻る」ボタンの操作に応じて順次遡って表示させることが考えられている（例えば、特許文献１参照。）。
【０００４】
従来の表示制御装置であって、コンテンツ同士の関連を辿って検索した場合に、その辿ったコンテンツ同士をサムネイルにして一覧表示させることが考えられている（例えば、特許文献２参照。）。
【先行技術文献】
【特許文献】
【０００５】
【特許文献１】特開２０１２−７３９０３号公報
【特許文献２】特開２００８−１９７９２５号公報
【発明の概要】
【発明が解決しようとする課題】
【０００６】
しかし、前記従来の情報検索装置では、ユーザが見たい検索表示画面まで幾つも遡って表示させる場合、１回１回繰り返し「戻る操作」を行なう必要があり面倒であるばかりでなく、当該「戻る操作」を行う毎にその戻った時点での検索処理が再実行されて画面表示されるため、動作も遅く大変不便であった。
【０００７】
また、前記従来の表示制御装置では、過去に辿ったコンテンツ同士をサムネイルにして一覧表示させることができるものの、一覧表示された任意のコンテンツから新たなコンテンツを検索して行くことはできない。
【０００８】
本発明は、このような課題に鑑みなされたもので、過去の検索画面のうち見たい検索画面まで一気に遡って見ることができるだけでなく、そこから迅速に新たな検索を行うことが可能になる情報検索装置、情報検索方法、およびその制御プログラムを提供することを目的とする。
【課題を解決するための手段】
【０００９】
本発明に係る情報検索装置は、表示部と、ユーザ操作に応じた検索処理に対応して検索対象を含む検索対象画面と当該検索対象の検索結果を含む検索結果画面とを順次生成して前記表示部に表示させる検索画面生成手段と、前記各検索画面が順次生成されて表示される毎の当該各検索画面の生成に伴う各動作情報を登録する検索履歴登録手段と、この検索履歴登録手段により登録された各動作情報に対応する各検索画面の画像データのうち、前記検索対象画面の画像データのみ又は前記検索結果画面の画像データのみを前記表示部に一覧表示させる検索履歴絞り込み一覧表示制御手段と、前記検索履歴絞り込み一覧表示制御手段により一覧表示された各検索画面の画像データの何れかをユーザ操作に応じて選択する履歴画像選択手段と、この履歴画像選択手段により選択された画像データと対応付けられて前記検索履歴登録手段により登録されている動作データに基づき、当該画像データに対応する検索画面をユーザ操作可能に再生成して、前記表示部に表示させる検索画面再表示制御手段と、を備えたことを特徴としている。
【００１０】
本発明に係る情報検索方法は、表示部を備えた電子機器のコンピュータを制御するための情報検索方法であって、ユーザ操作に応じた検索処理に対応して検索対象を含む検索対象画面と当該検索対象の検索結果を含む検索結果画面とを順次生成して前記表示部に表示させ、前記検索処理に対応した各検索画面が順次生成されて表示される毎の当該各検索画面の生成に伴う動作情報を登録し、この登録された各動作情報に対応する各検索画面の画像データのうち、前記検索対象画面の画像データのみ又は前記検索結果画面の画像データのみを前記表示部に一覧表示させ、前記一覧表示された各検索画面の画像データの何れかをユーザ操作に応じて選択し、この選択された画像データと対応付けられて前記登録されている動作データに基づき、当該画像データに対応する検索画面をユーザ操作可能に再生成して、前記表示部に表示させる、ことを特徴としている。
【００１１】
本発明に係るプログラムは、表示部を備えた電子機器のコンピュータを制御するためのプログラムであって、前記コンピュータを、ユーザ操作に応じた検索処理に対応して検索対象を含む検索対象画面と当該検索対象の検索結果を含む検索結果画面とを順次生成して前記表示部に表示させる検索画面生成手段、前記検索画面生成手段により前記各検索画面が順次生成されて表示される毎の当該各検索画面の生成に伴う各動作情報を登録する検索履歴登録手段、この検索履歴登録手段により登録された各動作情報に対応する各検索画面の画像データのうち、前記検索対象画面の画像データのみ又は前記検索結果画面の画像データのみを前記表示部に一覧表示させる検索履歴絞り込み一覧表示制御手段、前記検索履歴絞り込み一覧表示制御手段により一覧表示された各検索画面の画像データの何れかをユーザ操作に応じて選択する履歴画像選択手段、この履歴画像選択手段により選択された画像データと対応付けられて前記検索履歴登録手段により登録されている動作データに基づき、当該画像データに対応する検索画面をユーザ操作可能に再生成して、前記表示部に表示させる検索画面再表示制御手段、として機能させることを特徴としている。
【発明の効果】
【００１２】
本発明によれば、過去の検索画面のうち見たい検索画面まで一気に遡って見ることができるだけでなく、そこから迅速に新たな検索を行うことが可能になる。
【図面の簡単な説明】
【００１３】
【図１】本発明の情報検索装置の実施形態に係るタッチパネル式ＰＤＡ１０の電子回路の構成を示すブロック図。
【図２】前記タッチパネル式ＰＤＡ１０の外観構成を示す正面図。
【図３Ａ】前記タッチパネル式ＰＤＡ１０のメモリ１２に確保された検索履歴データメモリ１２ｄの内容（その１）を示す図。
【図３Ｂ】前記タッチパネル式ＰＤＡ１０のメモリ１２に確保された検索履歴データメモリ１２ｄの内容（その２）を示す図。
【図４Ａ】前記タッチパネル式ＰＤＡ１０のメモリ１２に確保されたユーザ登録履歴データメモリ１２ｅの内容（その１）を示す図。
【図４Ｂ】前記タッチパネル式ＰＤＡ１０のメモリ１２に確保されたユーザ登録履歴データメモリ１２ｅの内容（その２）を示す図。
【図５】前記タッチパネル式ＰＤＡ１０による情報検索制御処理を示すフローチャート。
【図６】前記タッチパネル式ＰＤＡ１０の情報検索制御処理に伴う辞書検索処理（その１）を示すフローチャート。
【図７】前記タッチパネル式ＰＤＡ１０の情報検索制御処理に伴う辞書検索処理（その２）を示すフローチャート。
【図８】前記タッチパネル式ＰＤＡ１０の辞書検索処理に伴う検索履歴表示制御処理を示すフローチャート。
【図９Ａ】前記タッチパネル式ＰＤＡ１０の情報検索制御処理に伴うタッチパネル表示部１７での表示動作（その１）を示す図。
【図９Ｂ】前記タッチパネル式ＰＤＡ１０の情報検索制御処理に伴うタッチパネル表示部１７での表示動作（その２）を示す図。
【図９Ｃ】前記タッチパネル式ＰＤＡ１０の情報検索制御処理に伴うタッチパネル表示部１７での表示動作（その３）を示す図。
【図９Ｄ】前記タッチパネル式ＰＤＡ１０の情報検索制御処理に伴うタッチパネル表示部１７での表示動作（その４）を示す図。
【図９Ｅ】前記タッチパネル式ＰＤＡ１０の情報検索制御処理に伴うタッチパネル表示部１７での表示動作（その５）を示す図。
【図９Ｆ】前記タッチパネル式ＰＤＡ１０の情報検索制御処理に伴うタッチパネル表示部１７での表示動作（その６）を示す図。
【図９Ｇ】前記タッチパネル式ＰＤＡ１０の情報検索制御処理に伴うタッチパネル表示部１７での表示動作（その７）を示す図。
【発明を実施するための形態】
【００１４】
以下図面により本発明の実施の形態について説明する。
【００１５】
図１は、本発明の情報検索装置の実施形態に係るタッチパネル式ＰＤＡ１０の電子回路の構成を示すブロック図である。
【００１６】
この情報検索装置は、以下に説明する情報検索制御機能を備えたタッチパネル式ＰＤＡ(personal digital assistants)１０として構成されるか、ＰＣ(personal computer)、携帯電話、電子ブック、携帯ゲーム機、情報検索専用の電子辞書装置等として構成される。
【００１７】
図２は、前記タッチパネル式ＰＤＡ１０の外観構成を示す正面図である。
【００１８】
このタッチパネル式ＰＤＡ１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００１９】
ＣＰＵ１１は、メモリ１２内に予め記憶された装置制御プログラム、あるいはＲＯＭカードなどの外部記録媒体１３から記録媒体読取部１４を介して前記メモリ１２に読み込まれた装置制御プログラム、あるいはインターネットＮ上のＷｅｂサーバ（この場合はプログラムサーバ）から通信部１５を介して前記メモリ１２に読み込まれた装置制御プログラムに応じて、回路各部の動作を制御する。
【００２０】
前記メモリ１２に記憶された装置制御プログラムは、キー入力部１６、タッチパネル式カラー表示部１７からのユーザ操作に応じた入力信号、あるいは通信部１５を介して接続されるインターネットＮ上の各Ｗｅｂサーバとの通信信号、あるいは記録媒体読取部１４を介して外部接続されるＥＥＰＲＯＭ，ＲＡＭ，ＲＯＭなどのメモリ・カード（記録媒体）１３との接続通信信号に応じて起動される。
【００２１】
前記ＣＰＵ１１には、前記メモリ１２、記録媒体読取部１４、通信部１５、キー入力部１６、タッチパネル式カラー表示部１７などが接続される。
【００２２】
メモリ１２に記憶される装置制御プログラムとしては、当該タッチパネル式ＰＤＡ１０の全体の動作を司るシステムプログラムや、通信部１５を介してインターネットＮ上の各Ｗｅｂサーバや図示しないユーザＰＣなどとデータ通信するための通信プログラムが記憶される。
【００２３】
また、情報検索制御機能として、検索対象となる検索語（文字列）の入力に応じて見出し語を検索する見出し語検索処理、検索された見出し語に対応した説明情報（訳語・意味内容など）の読み出し表示処理、表示された説明情報やテキストの中のユーザ任意の文字列を検索対象として指定し当該指定の文字列を任意の辞書にジャンプして検索するジャンプ検索処理、個々の検索処理に伴う動作情報と当該動作情報に従い生成表示された検索対象画面（検索対象の文字列や見出し語が指定表示ｈされた画面）や検索結果画面（検索された説明情報の表示画面）の画像とを対応付けて検索履歴として登録する検索履歴登録処理、登録された検索履歴の各画像を一覧表示させる検索履歴表示処理、一覧表示された検索履歴の画像うちの任意の画像に対応した検索画面から新たな検索処理を実行させる新規検索実行処理、一覧表示された検索履歴の画像から任意の画像をユーザ登録する履歴画像登録処理など、同メモリ１２内に確保された辞書データベース１２ｂ、テキストデータベース１２ｃ、検索履歴データメモリ１２ｄ、ユーザ登録履歴データメモリ１２ｅに基づく処理全般を制御するための各種情報検索制御プログラム１２ａが記憶される。
【００２４】
前記辞書データベース１２ｂには、各種の国語系辞書１，２，…、各種の百科事典１，２，…、各種の英語系辞書１，２，…等、種々の言語、分野の辞書データが予めあるいはダウンロードされて記憶される。
【００２５】
前記テキストデータベース１２ｃには、文学、小説、演説集等、種々のテキストデータが予めあるいはダウンロードされて記憶される。
【００２６】
図３Ａは、前記タッチパネル式ＰＤＡ１０のメモリ１２に確保された検索履歴データメモリ１２ｄの内容（その１）を示す図である。
【００２７】
図３Ｂは、前記タッチパネル式ＰＤＡ１０のメモリ１２に確保された検索履歴データメモリ１２ｄの内容（その２）を示す図である。
【００２８】
検索履歴データメモリ１２ｄには、前記辞書データベース１２ｂやテキストデータベース１２ｂの各種のデータに基づいた検索処理を行う過程において、個々の検索画面（検索対象画面（青枠表示）Ｇａ１，Ｇａ２，…や検索結果画面（赤枠表示）Ｇｂ１，Ｇｂ２，…）に遷移する都度、その検索画面（Ｇａ１，Ｇａ２，…、Ｇｂ１，Ｇｂ２，…）の生成表示に応じた動作データと当該検索画面の画像データＰ１ｓ，Ｐ２ｒ，…とが対応付けられて登録される。
【００２９】
ここで、例えば前記画像データＰ１ｓの“ｓ”は、検索対象画面（青枠表示）Ｇａｎの画像データであることを示し、画像データＰ２ｒの“ｒ”は、検索結果画面（赤枠表示）Ｇｂｎの画像データであることを示している。
【００３０】
この図３Ａ、図３Ｂで示す検索履歴データメモリ１２ｄの具体例において、履歴データ１としては、複数辞書にジャンプ検索された見出し語一覧エリアＬｍと検索対象として指定表示ｈされた見出し語の説明情報のプレビューエリアｖｉとを配置した［複数辞書ジャンプ検索画面Ｇａ１］の画像データＰ１ｓおよびその動作データが登録される。また、同履歴データ２としては、前記［複数辞書ジャンプ検索画面Ｇａ１］の見出し語一覧エリアＬｍにて選択された見出し語の［説明情報表示画面Ｇｂ１］の画像データＰ２ｒおよびその動作データが登録される。また、同履歴データ３としては、前記［説明情報表示画面Ｇｂ１］において、検索対象としてジャンプ検索文字が指定された［説明情報表示画面Ｇａ２］の画像データＰ３ｓおよびその動作データが登録される。また、同履歴データ４としては、前記ジャンプ検索文字に応じて複数辞書にジャンプ検索された見出し語一覧エリアＬｍと検索対象として指定表示ｈされた見出し語の説明情報のプレビューエリアｖｉとを配置した［複数辞書ジャンプ検索画面Ｇａ３］の画像データＰ４ｓおよびその動作データが登録される。また、同履歴データ５としては、前記［複数辞書ジャンプ検索画面Ｇａ３］の見出し語一覧エリアＬｍにて他の辞書の見出し語が選択された後の当該辞書の見出し語の説明情報をプレビューエリアｖｉに表示させた［複数辞書ジャンプ検索画面Ｇａ４］の画像データＰ５ｓおよびその動作データが登録される。また、同履歴データ６としては、前記［複数辞書ジャンプ検索画面Ｇａ４］の見出し語一覧エリアＬｍにて選択された見出し語の［説明情報表示画面Ｇｂ２］の画像データＰ６ｒおよびその動作データが登録される。また、同履歴データ７としては、前記［説明情報表示画面Ｇｂ２］から５回分処理を戻した後の前記［複数辞書ジャンプ検索画面Ｇａ１］と同一である［複数辞書ジャンプ検索画面Ｇａ５］の画像データＰ７ｓおよびその動作データが登録される。また、同履歴データ８としては、前記［複数辞書ジャンプ検索画面Ｇａ５］の見出し語一覧エリアＬｍにて他の辞書の見出し語が選択された後の当該辞書の見出し語の説明情報をプレビューエリアｖｉに表示させた［複数辞書ジャンプ検索画面Ｇａ６］の画像データＰ８ｓおよびその動作データが登録される。また、同履歴データ９としては、前記［複数辞書ジャンプ検索画面Ｇａ６］の見出し語一覧エリアＬｍにて選択された見出し語の［説明情報表示画面Ｇｂ３］の画像データＰ９ｒおよびその動作データが登録される。
【００３１】
なお、このような情報検索制御機能に従ってタッチパネル式カラー表示部１７（以下「タッチパネル表示部１７」と称す）に表示される各種の検索対象画面Ｇａ１，Ｇａ２，…および検索結果画面Ｇｂ１，Ｇｂ２，…を、総じて検索画面Ｇａ，Ｇｂ，…と称す。
【００３２】
このタッチパネル式ＰＤＡ１０の情報検索制御機能では、前記検索履歴データメモリ１２ｄに登録された検索履歴データに基づいて、例えば図９Ｃ（Ｂ）に示すように、各検索画面Ｇａ１，Ｇｂ１，…の画像データＰ１ｓ，Ｐ２ｒ，…を順次一覧に配した検索履歴画像画面Ｇｓｈを表示させることができ、タッチ操作（Ｔ）によりそのうち任意の画像データＰｎを選択表示（最前面に表示）させることができる。
【００３３】
この際、例えば図２あるいは図９Ｄに示すように、タッチ操作（Ｔ）が斜め上方向ＬＵに移動された場合には、各検索画面Ｇａ１，Ｇｂ１，…の画像データＰ１ｓ，Ｐ２ｒ，…のうち、検索対象画面（青枠表示）Ｇａ１，Ｇａ２，…の画像データＰ１ｓ，Ｐ３ｓ，…のみを一覧表示させることができ、また、例えば図９Ｆ（Ｂ）に示すように、タッチ操作（Ｔ）が斜め下方向ＬＤに移動された場合には、各検索画面Ｇａ１，Ｇｂ１，…の画像データＰ１ｓ，Ｐ２ｒ，…のうち、検索結果画面（赤枠表示）Ｇｂ１，Ｇｂ２，…の画像データＰ２ｒ，Ｐ６ｒ，…のみを一覧表示させることができる。
【００３４】
そして、選択表示された画像データＰｎに対応付けられて登録されている動作データを再実行させて、そのときの検索画面ＧａやＧｂを迅速に再表示させることができる。これにより、一気に所望の検索動作時点まで処理を戻して新たな検索処理を行うことができる。
【００３５】
図４Ａは、前記タッチパネル式ＰＤＡ１０のメモリ１２に確保されたユーザ登録履歴データメモリ１２ｅの内容（その１）を示す図である。
【００３６】
図４Ｂは、前記タッチパネル式ＰＤＡ１０のメモリ１２に確保されたユーザ登録履歴データメモリ１２ｅの内容（その２）を示す図である。
【００３７】
ユーザ登録履歴データメモリ１２ｅには、例えば前記図２、図９Ｃ（Ｂ）、図９Ｄ、図９Ｆ（Ｂ）で示したように、タッチパネル表示部１７に検索履歴画像画面Ｇｓｈが表示された状態で、例えば図９Ｆ（Ｃ）に示すように、当該検索履歴画像画面Ｇｓｈと共に表示された履歴登録アイコンＲＨがタッチ操作（Ｔ１）され、任意の検索履歴画像（ここではＰ２ｒ（Ｇｂ１）とＰ９ｒ（Ｇｂ３））がタッチ操作（Ｔ２，Ｔ３）された際に、このタッチ操作（Ｔ２，Ｔ３）により指定された検索履歴画像Ｐ２ｒ，Ｐ９ｒが、一連の検索履歴の元となるテキストデータ名と文字位置（頁，行，桁範囲）とに対応付けられて登録される。
【００３８】
具体的には、前記検索履歴データメモリ１２ｄの内容に基づいて、その一連の検索履歴の元となるテキストデータ名（テキスト１）（図９Ａ（Ａ）参照）と文字位置（頁Ｐ１，行Ｌ５，桁範囲２〜３文字目）とが記憶されると共に、タッチ操作（Ｔ２，Ｔ３）により指定された検索履歴画像Ｐ２ｒ，Ｐ９ｒに対応付けられて登録フラグがセットされる。
【００３９】
このタッチパネル式ＰＤＡ１０の情報検索制御機能では、前記ユーザ登録履歴データメモリ１２ｅに登録された登録履歴データに基づいて、例えば図９Ｇ（Ａ）に示すように、検索履歴の元となるテキスト１「閏年とオリンピック」が表示されるのに伴い、その文字位置（Ｐ１，Ｌ５，２〜３文字目）に対応付けて、登録された検索履歴があることを示す青色の下線Ｌとユーザ登録履歴アイコンＤRHを表示させることができる。
【００４０】
そして、前記ユーザ登録履歴アイコンＤRHのタッチ操作（Ｔ）により、例えば図９Ｇ（Ｂ）（Ｃ）に示すように、登録された各検索履歴画像Ｐ２ｒ（Ｇｂ１），Ｐ９ｒ（Ｇｂ３）を登録画像ウインドウＧＲに並べて表示させることができる。
【００４１】
このように構成されたタッチパネル式ＰＤＡ１０は、ＣＰＵ１１が前記情報検索制御プログラム１２ａ（見出し語検索処理、説明情報表示処理、ジャンプ検索処理、検索履歴登録処理、検索履歴表示処理、新規検索実行処理、履歴画像登録処理等を実行するためのプログラムを含む）に記述された命令に従い回路各部の動作を制御し、ソフトウエアとハードウエアとが協働して動作することにより、以下の動作説明で述べる機能を実現する。
【００４２】
次に、前記構成のタッチパネル式ＰＤＡ１０による情報検索制御機能について説明する。
【００４３】
図５は、前記タッチパネル式ＰＤＡ１０による情報検索制御処理を示すフローチャートである。
【００４４】
図６は、前記タッチパネル式ＰＤＡ１０の情報検索制御処理に伴う辞書検索処理（その１）を示すフローチャートである。
【００４５】
図７は、前記タッチパネル式ＰＤＡ１０の情報検索制御処理に伴う辞書検索処理（その２）を示すフローチャートである。
【００４６】
図８は、前記タッチパネル式ＰＤＡ１０の辞書検索処理に伴う検索履歴表示制御処理を示すフローチャートである。
【００４７】
図９Ａは、前記タッチパネル式ＰＤＡ１０の情報検索制御処理に伴うタッチパネル表示部１７での表示動作（その１）を示す図である。
【００４８】
図９Ｂは、前記タッチパネル式ＰＤＡ１０の情報検索制御処理に伴うタッチパネル表示部１７での表示動作（その２）を示す図である。
【００４９】
図９Ｃは、前記タッチパネル式ＰＤＡ１０の情報検索制御処理に伴うタッチパネル表示部１７での表示動作（その３）を示す図である。
【００５０】
図９Ｄは、前記タッチパネル式ＰＤＡ１０の情報検索制御処理に伴うタッチパネル表示部１７での表示動作（その４）を示す図である。
【００５１】
図９Ｅは、前記タッチパネル式ＰＤＡ１０の情報検索制御処理に伴うタッチパネル表示部１７での表示動作（その５）を示す図である。
【００５２】
図９Ｆは、前記タッチパネル式ＰＤＡ１０の情報検索制御処理に伴うタッチパネル表示部１７での表示動作（その６）を示す図である。
【００５３】
図９Ｇは、前記タッチパネル式ＰＤＡ１０の情報検索制御処理に伴うタッチパネル表示部１７での表示動作（その７）を示す図である。
【００５４】
（テキスト閲覧モードからの情報検索制御処理）
ユーザ操作に応じて、各種アプリケーションプログラムの選択メニューから選択された情報検索制御プログラム１２ａが起動され、テキスト閲覧モードが選択されると（ステップＳ２１（Ｙｅｓ））、テキストデータメモリ１２ｃに記憶されている各テキストデータ１，２，…の選択画面（図示せず）が表示される（ステップＳ２２）。
【００５５】
このテキスト選択画面において、任意のテキストデータ（例えば、テキスト１「閏年とオリンピック」）が選択されると、当該選択されたテキストデータ１が読み出され、図９Ａ（Ａ）に示すように、ユーザ任意の指定位置（デフォルトでは先頭）からテキストデータ１を展開したテキストビューア画面Ｇｔｖがタッチパネル表示部１７に表示される（ステップＳ２３）。
【００５６】
すると、このテキストビューア画面Ｇｔｖに表示されたテキストデータ１の範囲において、ユーザ登録履歴データメモリ１２ｅに登録されている文字位置が含まれるか否か判断される（ステップＳ２４）。
【００５７】
ここで、前記テキストビューア画面Ｇｔｖでのテキストデータ１の表示範囲において、ユーザ登録履歴データメモリ１２ｅに登録されている文字位置が含まれないと判断された後に（ステップＳ２４（Ｎｏ））、ジャンプ検索したい文字列「閏年」がユーザタッチＴされて指定表示ｈされると（ステップＳ２６（Ｙｅｓ））、図６，図７における辞書検索処理の（Ｃ）以降の処理に移行される。
【００５８】
すると、図９Ａ（Ｂ）に示すように、前記テキストビューア画面Ｇｔｖにおいて指定表示ｈされた文字列「閏年」を検索対象として、辞書データベース１２ｂに記憶されている複数の辞書から検索した見出し語の一覧エリアＬｍと見出し語説明情報のプレビューエリアｖｉとを配置した［複数辞書ジャンプ検索画面Ｇａ１］（青枠）が表示される（ステップＳ１６）。
【００５９】
そして、何れかの見出し語（ここでは［精○版］「うるう-どし［閏年］」）がユーザタッチＴされて指定表示ｈされると（ステップＳ１７）、当該［複数辞書ジャンプ検索画面Ｇａ１］（青枠）への一遷移が確定し、同［複数辞書ジャンプ検索画面Ｇａ１］の画像データＰ１ｓがその動作データと対応付けられて、検索履歴データメモリ１２ｄ（図３Ａ参照）の履歴データ（操作対応画像）１として登録される（ステップＳ１８）。
【００６０】
すると、図８おける検索履歴表示制御処理へ移行され（ステップＳＡ）、前記検索履歴データメモリ１２ｄに今回までの履歴データ（ここでは履歴データ１のみ）として登録されている検索画面の画像データ（ここでは検索画面Ｇａ１の画像データＰ１ｓ）が並べられ、当該画像データが縮小された検索履歴アイコンＨＳとして前記タッチパネル表示部１７の左下に表示される（ステップＡ１，Ａ２（Ｎｏ）→リターン）。
【００６１】
そして、図９Ａ（Ｃ）に示すように、見出し語「うるう-どし［閏年］」に対応した説明情報が、選択されたジャンプ先辞書［精○版］から読み出され、［説明情報表示画面Ｇｂ１］（赤枠）としてタッチパネル表示部１７に表示される（ステップＳ１９）。
【００６２】
この見出し語「うるう-どし［閏年］」に対応した［説明情報表示画面Ｇｂ１］（赤枠）への一遷移が確定すると、当該［説明情報表示画面Ｇｂ１］の画像データＰ２ｒがその動作データと対応付けられて、検索履歴データメモリ１２ｄ（図３Ａ参照）の履歴データ（操作対応画像）２として登録される（ステップＳ２０）。
【００６３】
すると、図８おける検索履歴表示制御処理へ移行され（ステップＳＡ）、前記検索履歴データメモリ１２ｄに今回までの履歴データ（ここでは履歴データ１，２）として登録されている検索画面の画像データ（ここでは検索画面Ｇａ１，Ｇｂ１の画像データＰ１ｓ，Ｐ２ｒ）が並べられ、当該画像データが縮小された検索履歴アイコンＨＳとして前記タッチパネル表示部１７の左下に表示される（ステップＡ１，Ａ２（Ｎｏ）→リターン）。
【００６４】
前記見出し語「うるう-どし［閏年］」に対応した［説明情報表示画面Ｇｂ１］（赤枠）において、図９Ｂ（Ａ）に示すように、ジャンプ検索の対象としたい文字（ここでは「閏」）がユーザタッチＴされて指定表示ｈされ、［説明情報表示画面Ｇａ２］（青枠）への一遷移が確定すると（ステップＳ１３（Ｙｅｓ））、当該［説明情報表示画面Ｇａ２］の画像データＰ３ｓがその動作データと対応付けられて、検索履歴データメモリ１２ｄ（図３Ａ参照）の履歴データ（操作対応画像）３として登録される（ステップＳ１４）。
【００６５】
すると、図８おける検索履歴表示制御処理へ移行され（ステップＳＡ）、前記検索履歴データメモリ１２ｄに今回までの履歴データ（ここでは履歴データ１，２，３）として登録されている検索画面の画像データ（ここでは検索画面Ｇａ１，Ｇｂ１，Ｇａ２の画像データＰ１ｓ，Ｐ２ｒ，Ｐ３ｓ）が並べられ、当該画像データが縮小された検索履歴アイコンＨＳとして前記タッチパネル表示部１７の左下に表示される（ステップＡ１，Ａ２（Ｎｏ）→リターン）。
【００６６】
ここで、前記［説明情報表示画面Ｇａ２］において、ジャンプ検索の対象文字「閏」に対するユーザタッチＴが検出されなくなったと判断されると（ステップＳ１５（Ｙｅｓ））、図９Ｂ（Ｂ）に示すように、前記［説明情報表示画面Ｇａ２］において指定表示ｈされた文字「閏」を検索対象として、辞書データベース１２ｂに記憶されている複数の辞書から検索した見出し語の一覧エリアＬｍと見出し語説明情報のプレビューエリアｖｉとを配置した［複数辞書ジャンプ検索画面Ｇａ３］（青枠）が表示される（ステップＳ１６）。
【００６７】
そして、先頭の辞書の見出し語（ここでは［精○日国］「うるい［閏］」）がデフォルトで指定表示ｈされると（ステップＳ１７）、当該［複数辞書ジャンプ検索画面Ｇａ３］（青枠）への一遷移が確定し、同［複数辞書ジャンプ検索画面Ｇａ３］の画像データＰ４ｓがその動作データと対応付けられて、検索履歴データメモリ１２ｄ（図３Ａ参照）の履歴データ（操作対応画像）４として登録される（ステップＳ１８）。
【００６８】
すると、図８おける検索履歴表示制御処理へ移行され（ステップＳＡ）、前記検索履歴データメモリ１２ｄに今回までの履歴データ（ここでは履歴データ１，２，３，４）として登録されている検索画面の画像データ（ここでは検索画面Ｇａ１，Ｇｂ１，Ｇａ２，Ｇａ３の画像データＰ１ｓ，Ｐ２ｒ，Ｐ３ｓ，Ｐ４ｓ）が並べられ、当該画像データが縮小された検索履歴アイコンＨＳとして前記タッチパネル表示部１７の左下に表示される（ステップＡ１，Ａ２（Ｎｏ）→リターン）。
【００６９】
さらに、前記［複数辞書ジャンプ検索画面Ｇａ３］での検索動作状態に応じた同一の処理ステップにおいて、図９Ｂ（Ｃ）に示すように、別の辞書の見出し語（ここでは［漢○林］「［閏］［閠］」）がユーザタッチＴされて指定表示ｈされると（ステップＳ１７）、［複数辞書ジャンプ検索画面Ｇａ４］（青枠）への一遷移が確定し、同［複数辞書ジャンプ検索画面Ｇａ４］の画像データＰ５ｓがその動作データと対応付けられて、検索履歴データメモリ１２ｄ（図３Ａ参照）の履歴データ（操作対応画像）５として登録される（ステップＳ１８）。
【００７０】
すると、図８おける検索履歴表示制御処理へ移行され（ステップＳＡ）、前記検索履歴データメモリ１２ｄに今回までの履歴データ（ここでは履歴データ１，２，３，４，５）として登録されている検索画面の画像データ（ここでは検索画面Ｇａ１，Ｇｂ１，Ｇａ２，Ｇａ３，Ｇａ４の画像データＰ１ｓ，Ｐ２ｒ，Ｐ３ｓ，Ｐ４ｓ，Ｐ５ｓ）が並べられ、当該画像データが縮小された検索履歴アイコンＨＳとして前記タッチパネル表示部１７の左下に表示される（ステップＡ１，Ａ２（Ｎｏ）→リターン）。
【００７１】
そして、図９Ｃ（Ａ）に示すように、前記選択された辞書の見出し語［漢○林］「［閏］［閠］」に対応した説明情報がジャンプ先辞書［漢○林］から読み出され［説明情報表示画面Ｇｂ２］としてタッチパネル表示部１７に表示される（ステップＳ１９）。
【００７２】
この見出し語［漢○林］「［閏］［閠］」に対応した［説明情報表示画面Ｇｂ２］（赤枠）への一遷移が確定すると、当該［説明情報表示画面Ｇｂ２］の画像データＰ６ｒがその動作データと対応付けられて、検索履歴データメモリ１２ｄ（図３Ｂ参照）の履歴データ（操作対応画像）６として登録される（ステップＳ２０）。
【００７３】
すると、図８おける検索履歴表示制御処理へ移行され（ステップＳＡ）、前記検索履歴データメモリ１２ｄに今回までの履歴データ（ここでは履歴データ１，２，３，４，５，６）として登録されている検索画面の画像データ（ここでは検索画面Ｇａ１，Ｇｂ１，Ｇａ２，Ｇａ３，Ｇａ４，Ｇｂ２の画像データＰ１ｓ，Ｐ２ｒ，Ｐ３ｓ，Ｐ４ｓ，Ｐ５ｓ，Ｐ６ｒ）が並べられ、当該画像データが縮小された検索履歴アイコンＨＳとして前記タッチパネル表示部１７の左下に表示される（ステップＡ１）。
【００７４】
ここで、前記一連の情報検索制御処理に応じた検索履歴データ（１２ｄ）を利用して、その何れかの検索画面から別の検索画面へと遷移させて新たな検索を行いたい場合に、タッチパネル表示部１７の左下に表示されている検索履歴アイコンＨＳがユーザタッチＴされると（ステップＡ２（Ｙｅｓ））、前記検索履歴データメモリ１２ｄ（図３Ａ，図３Ｂ参照）に今回までの履歴データ１〜６として登録されている各検索画面Ｇａ１〜Ｇｂ２の画像データＰ１ｓ〜Ｐ６ｒが読み出され、図９Ｃ（Ｂ）に示すように、当該各画像データＰ１ｓ〜Ｐ６ｒを順次横に並べて一覧にした検索履歴画像画面Ｇｓｈがタッチパネル表示部１７に表示される（ステップＡ３）。
【００７５】
この際、検索履歴のユーザ登録モードに設定するための履歴登録アイコンＲＨが同タッチパネル表示部１７の左下に表示される（ステップＡ３ａ）。
【００７６】
このタッチパネル表示部１７に表示された検索履歴画像画面Ｇｓｈにおいて、図９Ｄ（Ａ）〜図９Ｄ（Ｃ）に示すように、何れかの検索画面の画像データＰｎがユーザタッチＴされると（ステップＡ４（Ｙｅｓ））、タッチされた画像データＰｎが最前面に移動されて表示される（ステップＡ５）。
【００７７】
そして、前記検索履歴画像画面Ｇｓｈ上でのユーザタッチＴを左右方向に移動させて別の検索画面の画像データＰｎが新たにタッチされた際に（ステップＡ６（Ｙｅｓ））、図９Ｄ（Ｂ）および図９Ｄ（Ｃ）に示すように、当該ユーザタッチＴが斜め上方向ＬＵに移動されたと判断された場合は（ステップＡ１２（Ｙｅｓ））、各検索画面Ｇａ１〜Ｇｂ２の画像データＰ１ｓ〜Ｐ６ｒのうち、検索対象画面（青枠表示）Ｇａ１，Ｇａ２，Ｇａ３，Ｇａ４の画像データＰ１ｓ，Ｐ３ｓ，Ｐ４ｓ，Ｐ５ｓのみが一覧表示される（ステップＡ１３）。
【００７８】
これにより、登録された検索履歴における各検索段階での検索画面Ｇａ１，Ｇｂ１，…の内容を、素早く選択して確認できるだけでなく、必要に応じて、そのうちの検索対象画面Ｇａ１，Ｇａ２，…の内容だけを、より素早く選択して確認できる。
【００７９】
ここで、例えば図９Ｄ（Ｃ）に示すように、ユーザタッチＴされて最前面に移動表示された検索画面［複数辞書ジャンプ検索画面Ｇａ１］の画像データＰ１ｓ上で、当該ユーザタッチＴの移動が一定時間停止されたと判断されるか（ステップＡ７（Ｙｅｓ））、または同検索画面［複数辞書ジャンプ検索画面Ｇａ１］の画像データＰ１ｓ上で、図９Ｅ（Ａ）に示すように、当該ユーザタッチＴが上下方向に移動され、項目（ここでは複数辞書の見出し語一覧）を選択するユーザ操作がされている判断されると（ステップＡ８（Ｙｅｓ））、前記ユーザタッチＴされている検索画面［複数辞書ジャンプ検索画面Ｇａ１］の画像データＰ１ｓに対応付けられて前記検索履歴データメモリ１２ｄ（図３Ａ参照）に登録されている動作データが再実行され、実際の検索画面［複数辞書ジャンプ検索画面Ｇａ５］がユーザ操作可能に再生成されると共に、その画像データＰ１ｓと入れ替えられて表示される（ステップＡ９）。
【００８０】
本実施形態において、具体的には、前記図９Ｄ（Ｃ）で示したように、ユーザタッチＴされて最前面に移動表示された検索対象画面［複数辞書ジャンプ検索画面Ｇａ１］の画像データＰ１ｓ上で、当該ユーザタッチＴの移動が一定時間停止されたと判断されるので（ステップＡ７（Ｙｅｓ））、この検索対象画面［複数辞書ジャンプ検索画面Ｇａ１］の画像データＰ１ｓに対応付けられて検索履歴データメモリ１２ｄ（図３Ａ参照）に登録されている動作データが再実行され、実際の検索対象画面［複数辞書ジャンプ検索画面Ｇａ５］がユーザ操作可能に再生成されると共に、画像データＰ１ｓと入れ替えられて表示される（ステップＡ９）。
【００８１】
するとこの後、前記検索履歴画像画面Ｇｓｈ上で最前面に移動表示された画像データＰｎと入れ替えられた実際の検索画面Ｇａ，Ｇｂでの検索動作状態に応じた処理ステップ（Ａ）（Ｂ）（Ｃ）（Ｄ）（Ｅ）へと移行されるもので、ここでは、前記画像データＰ１ｓと入れ替えられた［複数辞書ジャンプ検索画面Ｇａ５］での検索動作状態に応じた処理ステップ（Ｃ）へと移行される（ステップＡ１０）。
【００８２】
すなわち、前記図９Ｄ（Ｃ）で示したように、検索履歴画像画面Ｇｓｈ上での見出し語一覧エリアＬｍとプレビューエリアｖｉからなる［複数辞書ジャンプ検索画面Ｇａ５］が生成表示され（ステップＳ１６）、ジャンプ検索先の辞書の見出し語（ここでは［精○日国］「うるう-どし［閏年］」）がデフォルトで指定表示ｈされると（ステップＳ１７）、当該［複数辞書ジャンプ検索画面Ｇａ５］（青枠）への一遷移が確定し、同［複数辞書ジャンプ検索画面Ｇａ５］の画像データＰ７ｓがその動作データと対応付けられて、検索履歴データメモリ１２ｄ（図３Ｂ参照）の履歴データ（操作対応画像）７として登録される（ステップＳ１８）。
【００８３】
さらに、前記［複数辞書ジャンプ検索画面Ｇａ５］での検索動作状態に応じた同一の処理ステップにおいて、図９Ｅ（Ａ）に示すように、別の辞書の見出し語（ここでは［新○英大］「うるうどし［閏年］」）がユーザタッチＴされて指定表示ｈされると（ステップＳ１７）、［複数辞書ジャンプ検索画面Ｇａ６］（青枠）への一遷移が確定し、同［複数辞書ジャンプ検索画面Ｇａ６］の画像データＰ８ｓがその動作データと対応付けられて、検索履歴データメモリ１２ｄ（図３Ｂ参照）の履歴データ（操作対応画像）８として登録される（ステップＳ１８）。
【００８４】
なお、前記図９Ｄ（Ｃ）および図９Ｅ（Ａ）で示したように、検索履歴画像画面Ｇｓｈ上において、実際の検索画面［複数辞書ジャンプ検索画面Ｇａ５］（青枠）を生成表示させた状態では、検索履歴表示制御処理（ステップＳＡ）へ移行しての検索履歴アイコンＨＳの表示処理（ステップＡ１）は実行されない。またこの状態で、ユーザ登録履歴アイコンＲＨがユーザタッチＴされた場合には、検索履歴表示制御処理（ステップＳＡ）のステップＡ１６以降の処理へ移行される。
【００８５】
すると、図９Ｅ（Ｂ）に示すように、前記検索履歴画像画面Ｇｓｈが解除されると共に、前記選択された辞書の見出し語［新○英大］「うるうどし［閏年］」に対応した説明情報がジャンプ先辞書［新○英大辞典］から読み出され［説明情報表示画面Ｇｂ３］（赤枠）としてタッチパネル表示部１７に表示される（ステップＳ１９）。
【００８６】
これにより、登録された検索履歴における各検索段階での検索画面Ｇａ１，Ｇｂ１，…の内容を素早く選択して確認できるだけでなく、当該選択された検索段階から再び別の検索操作を行うことができる。
【００８７】
この見出し語［新○英大］「うるうどし［閏年］」に対応した［説明情報表示画面Ｇｂ３］（赤枠）への一遷移が確定すると、当該［説明情報表示画面Ｇｂ３］の画像データＰ９ｒがその動作データと対応付けられて、検索履歴データメモリ１２ｄ（図３Ｂ参照）の履歴データ（操作対応画像）９として登録される（ステップＳ２０）。
【００８８】
すると、図８おける検索履歴表示制御処理へ移行され（ステップＳＡ）、前記検索履歴データメモリ１２ｄに今回までの履歴データ（ここでは履歴データ１，２，３，４，５，６，７，８，９）として登録されている検索画面の画像データ（ここでは検索画面Ｇａ１，Ｇｂ１，Ｇａ２，Ｇａ３，Ｇａ４，Ｇｂ２，Ｇａ５，Ｇａ６，Ｇｂ３の画像データＰ１ｓ，Ｐ２ｒ，Ｐ３ｓ，Ｐ４ｓ，Ｐ５ｓ，Ｐ６ｒ，Ｐ７ｓ，Ｐ８ｓ，Ｐ９ｒ）が並べられ、当該画像データが縮小された検索履歴アイコンＨＳとして前記タッチパネル表示部１７の左下に表示される（ステップＡ１）。
【００８９】
ここで、前記一連の情報検索制御処理に応じた検索履歴データ（１２ｄ）を利用して、例えばその何れか任意の検索画面を、検索履歴の元となるテキストとその文字位置に対応付けてユーザ登録したい場合に、タッチパネル表示部１７の左下に表示されている検索履歴アイコンＨＳがユーザタッチＴされると（ステップＡ２（Ｙｅｓ））、前記検索履歴データメモリ１２ｄ（図３Ａ，図３Ｂ参照）に今回までの履歴データ１〜９として登録されている各検索画面Ｇａ１〜Ｇｂ３の画像データＰ１ｓ〜Ｐ９ｒが読み出され、図９Ｅ（Ｃ）に示すように、当該各画像データＰ１ｓ〜Ｐ９ｒを順次横に並べて一覧にした検索履歴画像画面Ｇｓｈがタッチパネル表示部１７に表示される（ステップＡ３）。
【００９０】
この際、検索履歴のユーザ登録モードに設定するための履歴登録アイコンＲＨが同タッチパネル表示部１７の左下に表示される（ステップＡ３ａ）。
【００９１】
このタッチパネル表示部１７に表示された検索履歴画像画面Ｇｓｈにおいて、図９Ｆ（Ａ）（Ｂ）に示すように、何れかの検索画面の画像データＰｎがユーザタッチＴされると（ステップＡ４（Ｙｅｓ））、タッチされた画像データＰｎが最前面に移動されて表示される（ステップＡ５）。
【００９２】
そして、前記検索履歴画像画面Ｇｓｈ上でのユーザタッチＴを左右方向に移動させて別の検索画面の画像データＰｎが新たにタッチされた際に（ステップＡ６（Ｙｅｓ））、図９Ｆ（Ｂ）に示すように、当該ユーザタッチＴが斜め下方向ＬＤに移動されたと判断された場合は（ステップＡ１４（Ｙｅｓ））、各検索画面Ｇａ１〜Ｇｂ３の画像データＰ１ｓ〜Ｐ９ｒのうち、検索結果画面（赤枠表示）Ｇｂ１，Ｇｂ２，Ｇｂ３の画像データＰ２ｒ，Ｐ６ｒ，Ｐ９ｒのみが一覧表示される（ステップＡ１５）。
【００９３】
これにより、登録された検索履歴における各検索段階での検索画面Ｇａ１，Ｇｂ１，…の内容を、素早く選択して確認できるだけでなく、必要に応じて、そのうちの検索結果画面Ｇｂ１，Ｇｂ２，…の内容だけを、より素早く選択して確認できる。
【００９４】
そして、図９Ｆ（Ｃ）に示すように、前記検索結果画面（赤枠表示）Ｇｂ１，Ｇｂ２，Ｇｂ３の画像データＰ２ｒ，Ｐ６ｒ，Ｐ９ｒのみが一覧表示された検索履歴画像画面Ｇｓｈにおいて、履歴登録アイコンＲＨがユーザタッチＴ１されると（ステップＡ１６（Ｙｅｓ））、検索履歴のユーザ登録モードに設定される。
【００９５】
ここで、前記３つの検索結果画面（赤枠表示）Ｇｂ１，Ｇｂ２，Ｇｂ３の画像データＰ２ｒ，Ｐ６ｒ，Ｐ９ｒのうち、例えば２つ検索結果画面（赤枠表示）Ｇｂ１，Ｇｂ３の画像データＰ２ｒ，Ｐ９ｒが順次ユーザタッチＴ２，Ｔ３されて指定され、一定時間が経過したと判断されるか、又は実行操作が為されたと判断されると（ステップＡ１７，Ａ１８（Ｙｅｓ））、当該ユーザタッチＴ２，Ｔ３により指定された２つの検索履歴画像Ｐ２ｒ，Ｐ９ｒが、一連の検索履歴の元となるテキストデータ名（テキスト１）と文字位置（頁Ｐ１，行Ｌ５，桁範囲２〜３文字目）とに対応付けられて、ユーザ登録履歴データメモリ１２ｅ（図４Ａ，図４Ｂ参照）に登録される（ステップＡ１９）。
【００９６】
これにより、検索履歴データとして登録された各検索処理段階での検索対象画面Ｇａ１，Ｇａ２，…や検索結果画面Ｇｂ１，Ｇｂ２，…を含む一連の検索画面の画像データＰ１，Ｐ２，…の中から、ユーザ所望の検索対象画面Ｇａｎあるいは検索結果画面Ｇｂｎの画像データＰｎを素早く選択して登録できる。
【００９７】
この後、図９Ｇ（Ａ）に示すように、テキストデータメモリ１２ｃに記憶されている各テキストデータ１，２，…の中から、任意のテキストデータ（例えば、テキスト１「閏年とオリンピック」）が再び選択され、テキストビューア画面Ｇｔｖとしてタッチパネル表示部１７に表示された際に（ステップＳ２３）、当該表示されたテキストデータ１について、ユーザ登録履歴データメモリ１２ｅに登録されている文字位置（Ｐ１，Ｌ５，２〜３文字目）が含まれると判断されると（ステップＳ２４（Ｙｅｓ））、その文字位置の文字「閏年」に青下線Ｌが付加されて識別表示されると共に、同文字位置に隣接してユーザ登録履歴アイコンＤRHが表示される（ステップＳ２５）。
【００９８】
これにより、ユーザは、前記テキストビューア画面Ｇｔｖに表示させたテキストデータ１「閏年とオリンピック」の文字「閏年」について、過去にその検索情報の登録をしていることが容易に認識できる。
【００９９】
ここで、前記テキストビューア画面Ｇｔｖに対する、例えば上下方向のユーザタッチ（図示せず）により、テキスト表示位置の移動操作が為されたと判断された場合は（ステップＳ２７（Ｙｅｓ））、当該移動操作に応じた位置からテキストデータが表示し直される（ステップＳ２３）。
【０１００】
そして、前記表示し直されたテキストデータの範囲において、再びユーザ登録履歴データメモリ１２ｅに登録されている文字位置が含まれるか否か判断される（ステップＳ２４）。
【０１０１】
一方、前記図９Ｇ（Ａ）で示したように、テキストビューア画面Ｇｔｖの文字「閏年」に隣接して表示されたユーザ登録履歴アイコンＤRHがユーザタッチＴされると（ステップＳ２８（Ｙｅｓ））、図９Ｇ（Ｂ）に示すように、当該文字「閏年」の文字位置（Ｐ１，Ｌ５，２〜３文字目）に対応付けられて前記ユーザ登録履歴データメモリ１２ｅに登録されている２つ検索結果画面（赤枠表示）Ｇｂ１，Ｇｂ３の画像データＰ２ｒ，Ｐ９ｒが読み出され、各画像データＰ２ｒ，Ｐ９ｒを一部重ねた状態にした登録画像ウインドウＧＲが表示される（ステップＳ２９）。
【０１０２】
ここで、図９Ｇ（Ｃ）に示すように、前記登録画像ウインドウＧＲがユーザタッチＴされると（ステップＳ３０（Ｙｅｓ））、一部重ねた状態にして表示されている各検索結果画面（赤枠表示）Ｇｂ１，Ｇｂ３の画像データＰ２ｒ，Ｐ９ｒが、縦に並べた状態に変更された登録画像ウインドウＧＲが表示される（ステップＳ３１）。
【０１０３】
ここでさらに、登録画像ウインドウＧＲがユーザタッチＴされると（ステップＳ３２（Ｙｅｓ））、縦に並べた状態に変更されて表示されている各検索結果画面（赤枠表示）Ｇｂ１，Ｇｂ３の画像データＰ２ｒ，Ｐ９ｒが、再び一部重ねた状態に変更された登録画像ウインドウＧＲが表示される（ステップＳ２９）。
【０１０４】
この後、ユーザ操作に応じて前記登録画像ウインドウＧＲを閉じる操作が為されたと判断されると（ステップＳ３３／Ｓ３４（Ｙｅｓ））、再び、前記図９Ｇ（Ａ）で示したように、前記テキストデータ１を表示させたテキストビューア画面Ｇｔｖの表示状態に戻る（ステップＳ２３）。
【０１０５】
これにより、ユーザは、前記テキストビューア画面Ｇｔｖに表示させたテキストデータ１「閏年とオリンピック」の文字「閏年」について、過去に検索データの登録をしていることが容易に認識できるだけでなく、当該登録された検索結果画面（赤枠表示）Ｇｂ１，Ｇｂ３の画像データＰ２ｒ，Ｐ９ｒを所望の表示形態で直ちにウインドウ表示させて確認できる。
【０１０６】
（辞書検索モードからの情報検索制御処理）
一方、前記ステップＳ１において、辞書検索モードが選択された後（ステップＳ１（Ｙｅｓ））、辞書データベース１２ｂに記憶されている何れかの辞書が選択されると、当該選択された辞書に応じた検索語入力エリア、および入力された検索語に一致検索された見出し語一覧エリアＬｍ、および指定の見出し語に対応する説明情報のプレビューエリアｖｉを有する［すぐ出る検索画面Ｇａ１］（図示せず）がタッチパネル表示部１７に表示される（ステップＳ２）。
【０１０７】
ここで、タッチパネル表示部１７の空きエリアを使用して所望の検索語が手書き入力されると（ステップＳ３）、入力された手書き文字が文字認識され、前記［すぐ出る検索画面Ｇａ１］の検索語入力エリアに表示される（ステップＳ４）。
【０１０８】
ユーザ操作に応じて検索の実行が指示されるか、又は前記手書き文字の入力後に一定時間が経過すると、前記選択されている辞書（例えば［複数辞書］）を対象に前記検索語に対応した見出し語が検索され、見出し語一覧エリアＬｍに一覧表示される（ステップＳ５）。
【０１０９】
すると、前記見出し語一覧エリアＬｍに一覧表示された先頭の見出し語が反転されて指定表示ｈされ、この指定表示ｈされた見出し語の説明情報が該当の辞書から読み出されプレビューエリアｖｉに表示される（ステップＳ６）。
【０１１０】
こうして、前記［すぐ出る検索画面Ｇａ１］での一遷移が確定すると、前記検索語が入力され、見出し語が指定表示ｈされ、その説明情報がプレビュー表示された当該［すぐ出る検索画面Ｇａ１］の画像データＰ１がその動作データと対応付けられて、検索履歴データメモリ１２ｄの履歴データ（操作対応画像）１として登録される（ステップＳ７）。
【０１１１】
すると、図８おける検索履歴表示制御処理へ移行され（ステップＳＡ）、前記検索履歴データメモリ１２ｄに今回までの履歴データ（ここでは履歴データ１のみ）として登録されている検索画面の画像データ（ここでは検索画面Ｇａ１の画像データＰ１ｓ）が並べられ、当該画像データが縮小された検索履歴アイコンＨＳとして前記タッチパネル表示部１７の左下に表示される（ステップＡ１，Ａ２（Ｎｏ）→リターン）。
【０１１２】
この後、前記［すぐ出る検索画面Ｇａ１］において、見出し語一覧エリアＬｍに表示されている何れかの見出し語がユーザタッチＴされて指定表示ｈされると（ステップＳ８）、指定表示ｈされた見出し語の説明情報が該当する辞書から読み出されプレビューエリアｖｉに表示される（ステップＳ９）。
【０１１３】
そして、前記見出し語一覧エリアＬｍにおいてユーザタッチＴが検出されなくなった時点で指定表示ｈされていた見出し語が選択され（ステップＳ１０）、当該選択された見出し語に対応する説明情報が［説明情報表示画面Ｇｂ１］（図示せず）としてタッチパネル表示部１７に表示される（ステップＳ１１）。
【０１１４】
こうして、前記［説明情報表示画面Ｇｂ１］への一遷移が確定すると、前記検索対象として選択された辞書での見出し語に対応した当該［説明情報表示画面Ｇｂ１］の画像データＰ２ｒがその動作データと対応付けられて、検索履歴データメモリ１２ｄの履歴データ（操作対応画像）２として登録される（ステップＳ１２）。
【０１１５】
すると、図８おける検索履歴表示制御処理へ移行され（ステップＳＡ）、前記検索履歴データメモリ１２ｄに今回までの履歴データ（ここでは履歴データ１，２）として登録されている検索画面の画像データ（ここでは検索画面Ｇａ１，Ｇｂ１の画像データＰ１ｓ，Ｐ２ｒ）が並べられ、当該画像データが縮小された検索履歴アイコンＨＳとして前記タッチパネル表示部１７の左下に表示される（ステップＡ１，Ａ２（Ｎｏ）→リターン）。
【０１１６】
前記選択された見出し語に対応した［説明情報表示画面Ｇｂ１］において、ジャンプ検索の対象としたい文字がユーザタッチＴされて指定表示ｈされた［説明情報表示画面Ｇａ２］（図示せず）への一遷移が確定すると（ステップＳ１３（Ｙｅｓ））、当該［説明情報表示画面Ｇａ２］の画像データＰ３ｓがその動作データと対応付けられて、検索履歴データメモリ１２ｄの履歴データ（操作対応画像）３として登録される（ステップＳ１４）。
【０１１７】
すると、図８おける検索履歴表示制御処理へ移行され（ステップＳＡ）、前記検索履歴データメモリ１２ｄに今回までの履歴データ（ここでは履歴データ１，２，３）として登録されている検索画面の画像データ（ここでは検索画面Ｇａ１，Ｇｂ１，Ｇａ２の画像データＰ１ｓ，Ｐ２ｒ，Ｐ３ｓ）が並べられ、当該画像データが縮小された検索履歴アイコンＨＳとして前記タッチパネル表示部１７の左下に表示される（ステップＡ１，Ａ２（Ｎｏ）→リターン）。
【０１１８】
ここで、前記［説明情報表示画面Ｇａ２］において、ジャンプ検索の対象文字に対するユーザタッチＴが検出されなくなったと判断されると（ステップＳ１５（Ｙｅｓ））、ジャンプ検索先の辞書を対象に、前記ジャンプ検索対象文字を検索した見出し語一覧エリアＬｍと見出し語説明情報のプレビューエリアｖｉとを配置した［ジャンプ先見出し語選択画面Ｇａ３］（図示せず）がタッチパネル表示部１７に表示される（ステップＳ１６）。
【０１１９】
そして、何れかの見出し語がユーザタッチＴされて指定表示ｈされると（ステップＳ１７）、当該［ジャンプ先見出し語選択画面Ｇａ３］への一遷移が確定し、同［ジャンプ先見出し語選択画面Ｇａ３］の画像データＰ４ｓがその動作データと対応付けられて、検索履歴データメモリ１２ｄの履歴データ（操作対応画像）４として登録される（ステップＳ１８）。
【０１２０】
すると、図８おける検索履歴表示制御処理へ移行され（ステップＳＡ）、前記検索履歴データメモリ１２ｄに今回までの履歴データ（ここでは履歴データ１，２，３，４）として登録されている検索画面の画像データ（ここでは検索画面Ｇａ１，Ｇｂ１，Ｇａ２，Ｇａ３の画像データＰ１ｓ，Ｐ２ｒ，Ｐ３ｓ，Ｐ４ｓ）が並べられ、当該画像データが縮小された検索履歴アイコンＨＳとして前記タッチパネル表示部１７の左下に表示される（ステップＡ１，Ａ２（Ｎｏ）→リターン）。
【０１２１】
そして、前記［ジャンプ先見出し語選択画面Ｇａ３］にて指定表示ｈされた見出し語に対応した説明情報がジャンプ先辞書から読み出され［説明情報表示画面Ｇｂ２］（図示せず）としてタッチパネル表示部１７に表示される（ステップＳ１９）。
【０１２２】
この見出し語に対応した［説明情報表示画面Ｇｂ２］への一遷移が確定すると、当該［説明情報表示画面Ｇｂ２］の画像データＰ５ｒがその動作データと対応付けられて、検索履歴データメモリ１２ｄの履歴データ（操作対応画像）５として登録される（ステップＳ２０）。
【０１２３】
すると、図８おける検索履歴表示制御処理へ移行され（ステップＳＡ）、前記検索履歴データメモリ１２ｄに今回までの履歴データ（ここでは履歴データ１，２，３，４，５）として登録されている検索画面の画像データ（ここでは検索画面Ｇａ１，Ｇｂ１，Ｇａ２，Ｇａ３，Ｇｂ２の画像データＰ１ｓ，Ｐ２ｒ，Ｐ３ｓ，Ｐ４ｓ，Ｐ５ｒ）が並べられ、当該画像データが縮小された検索履歴アイコンＨＳとして前記タッチパネル表示部１７の左下に表示される（ステップＡ１）。
【０１２４】
ここで、前記辞書検索モードでの一連の情報検索制御処理に応じた検索履歴データ（１２ｄ）を利用して、その何れかの検索画面から別の検索画面へと遷移させて新たな検索を行いたい場合に、タッチパネル表示部１７の左下に表示されている検索履歴アイコンＨＳがユーザタッチＴされると（ステップＡ２（Ｙｅｓ））、前記検索履歴データメモリ１２ｄに今回までの履歴データ１〜５として登録されている各検索画面Ｇａ１〜Ｇｂ２の画像データＰ１ｓ〜Ｐ５ｒが読み出され、例えば前記図９Ｃ（Ｂ）で示したテキスト閲覧モードからの場合と同様に、当該各画像データＰ１ｓ〜Ｐ５ｒを順次横に並べて一覧にした検索履歴画像画面Ｇｓｈがタッチパネル表示部１７に表示される（ステップＡ３）。
【０１２５】
この際、検索履歴のユーザ登録モードに設定するための履歴登録アイコンＲＨが同タッチパネル表示部１７の左下に表示される（ステップＡ３ａ）。
【０１２６】
するとこの後、ステップＡ４以降の処理が前記テキスト閲覧モードからの場合と同様に実行されるので、この辞書検索モードからの場合であっても、前記検索履歴データメモリ１２ｄに登録された各検索段階での検索画面Ｇａ１，Ｇｂ１，…の内容を、素早く選択して確認できるだけでなく、必要に応じて、そのうちの検索対象画面Ｇａ１，Ｇａ２，…または検索結果画面Ｇｂ１，Ｇｂ２，…の内容だけを、より素早く選択して確認できる。そして、当該選択された検索段階から再び別の検索操作を行うことができる。
【０１２７】
したがって、前記構成のタッチパネル式ＰＤＡ１０による情報検索制御機能によれば、一連の検索処理に伴い各検索動作に応じた検索画面（検索対象画面Ｇａ１，Ｇａ２，…や検索結果画面Ｇｂ１，Ｇｂ２，…）が生成されてタッチパネル表示部１７に表示される毎に、当該各検索画面Ｇａ１，Ｇｂ１，…の画像データＰ１ｓ，Ｐ２ｒ，…と各画面生成時の動作データとが対応付けられて検索履歴データメモリ１２ｄに順番に登録される。登録された各検索画面Ｇａ１，Ｇｂ１，…の画像データＰ１ｓ，Ｐ２ｒ，…は、検索履歴アイコンＨＳのユーザ操作に応じて、当該各画像データＰ１ｓ，Ｐ２ｒ，…を横に並べて一覧にした検索履歴画像画面Ｇｓｈとして表示される。この際、横に並べて一覧表示中の各画像データＰ１ｓ，Ｐ２ｒ，…を対象に斜め上方向ＬＵにユーザタッチＴされると、前記検索対象画面Ｇａ１．Ｇａ２，…の画像データＰ１ｓ，Ｐ３ｓ，…のみが一覧表示され、斜め下方向ＬＤにユーザタッチＴされると、前記検索結果画面Ｇｂ１．Ｇｂ２，…の画像データＰ２ｒ，Ｐ６ｒ，…のみが一覧表示される。そして、一覧表示された任意の検索画面Ｇの画像データＰｎがユーザタッチＴされて選択されると、選択された画像データＰｎに対応付けられて登録されている動作データが再実行されてその検索画面Ｇが再生成されタッチパネル表示部１７に再表示される。
【０１２８】
このため、登録された検索履歴における各検索段階での検索画面Ｇａ１，Ｇｂ１，…の内容を、検索対象画面Ｇａ１，Ｇａ２，…の画像データＰ１ｓ，Ｐ３ｓ，…又は検索結果画面Ｇｂ１，Ｇｂ２，…の画像データＰ２ｒ，Ｐ６ｒ，…として絞り込み、素早く選択して確認できるだけでなく、当該選択された任意の検索段階から再び新たな検索処理を行うことができる。
【０１２９】
また、前記構成のタッチパネル式ＰＤＡ１０による情報検索制御機能によれば、前記検索履歴画像画面ＧｓｈにおいてユーザタッチＴされて選択された何れかの画像データＰｎに対するタッチ時間が一定時間以上継続されると、当該選択された画像データＰｎに対応した検索画面Ｇが再生成されて再表示されるので、検索履歴の選択による任意の検索段階への移行動作を迅速かつ確実に行うことができる。
【０１３０】
さらに、前記構成のタッチパネル式ＰＤＡ１０による情報検索制御機能によれば、ユーザ任意のテキストデータをテキストビューア画面Ｇｔｖにしてタッチパネル表示部１７に表示させ、表示されたテキストデータの中の任意の文字列を検索対象としてユーザタッチＴにより指定表示ｈさせると、当該指定の文字列に対応した見出し語や説明情報が辞書検索され、［複数辞書ジャンプ検索画面Ｇａｎ］や［説明情報表示画面Ｇｂｎ］が順次生成表示されて一連の検索処理が実行される。この後、前記検索履歴アイコンＨＳのユーザ操作に応じて、前記検索対象画面Ｇａｎや検索結果画面Ｇｂｎの各画像データＰｎｓ，Ｐｎｒ，…を一覧表示させた検索履歴画像画面Ｇｓｈにおいて、履歴登録アイコンＲＨがユーザタッチＴされ、所望の検索画面Ｇの画像データＰｎの登録が指示されると、当該登録指示された検索画面Ｇの画像データＰｎが、前記検索履歴の元となるテキストデータの前記検索対象として指定された文字位置に対応付けられて登録される。
【０１３１】
このため、前記所望の検索画面Ｇの画像データＰｎを対応付けて登録した文字位置を含むテキストデータを後々再表示させた場合には、当該文字位置の文字に対応した過去の検索履歴を簡単に確認できるようになる。
【０１３２】
なお、前記実施形態では、各検索画面の画像データと動作情報とを対応づけて登録するようにしたが、各検索画面の画像データは登録せずに、動作情報から各検索画面の画像データを生成して一覧表示するようにしてもよい。
【０１３３】
なお、前記実施形態において記載したタッチパネル式ＰＤＡ１０による各処理の手法およびデータベース、すなわち、図５のフローチャートに示す情報検索制御処理、図６および図７のフローチャートに示す前記情報検索制御処理に伴う辞書検索処理、図８のフローチャート示す前記辞書検索処理に伴う検索履歴表示制御処理等の各手法、および辞書データベース１２ｂ、テキストデータベース１２ｃは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。タッチパネル式表示部（１７）を備えた電子機器のコンピュータは、この外部記録媒体１３に記憶されたプログラムを記憶装置（１２）に読み込み、この読み込んだプログラムによって動作が制御されることにより、前記実施形態において説明した情報検索制御機能を実現し、前述した手法による同様の処理を実行することができる。
【０１３４】
また、前記各手法を実現するためのプログラムのデータは、プログラムコードの形態としてネットワークＮ上を伝送させることができ、このプログラムデータを、ネットワークＮに接続されたコンピュータに通信部１５によって取り込むことで、前述した情報検索制御機能を実現することもできる。
【０１３５】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組合せにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１３６】
以下に、本願出願の当初の特許請求の範囲に記載された発明を付記する。
【０１３７】
［１］
表示部と、
ユーザ操作に応じた検索処理に対応して検索対象を含む検索対象画面と当該検索対象の検索結果を含む検索結果画面とを順次生成して前記表示部に表示させる検索画面生成手段と、
前記各検索画面が順次生成されて表示される毎の当該各検索画面の生成に伴う各動作情報を登録する検索履歴登録手段と、
この検索履歴登録手段により登録された各動作情報に対応する各検索画面の画像データのうち、前記検索対象画面の画像データのみ又は前記検索結果画面の画像データのみを前記表示部に一覧表示させる検索履歴絞り込み一覧表示制御手段と、
前記検索履歴絞り込み一覧表示制御手段により一覧表示された各検索画面の画像データの何れかをユーザ操作に応じて選択する履歴画像選択手段と、
この履歴画像選択手段により選択された画像データと対応付けられて前記検索履歴登録手段により登録されている動作データに基づき、当該画像データに対応する検索画面をユーザ操作可能に再生成して、前記表示部に表示させる検索画面再表示制御手段と、
を備えたことを特徴とする情報検索装置。
【０１３８】
［２］
前記検索履歴登録手段により登録された各検索画面の画像データを前記表示部に一覧表示させる検索履歴一覧表示制御手段を備え、
前記検索履歴絞り込み一覧表示制御手段は、前記検索履歴一覧表示制御手段により各検索画面の画像データが一覧表示された後、前記検索対象画面の画像データのみ又は前記検索結果画面の画像データのみを前記表示部に一覧表示させる、
ことを特徴とする［１］に記載の情報検索装置。
【０１３９】
［３］
前記検索履歴一覧表示制御手段は、前記検索履歴登録手段により登録された各動作情報に対応する各検索画面の画像データを前記表示部に左右方向に順に並べて一覧表示させ、
前記検索履歴絞り込み一覧表示制御手段は、前記検索履歴一覧表示制御手段により左右方向に一覧表示された各検索画面の画像データに対する上方向又は下方向へのユーザ操作に応じて、当該各検索画面の画像データのうち、前記検索対象画面の画像データのみ又は前記検索結果画面の画像データのみを一覧表示させる、
ことを特徴とする［１］又は［２］に記載の情報検索装置。
【０１４０】
［４］
前記検索履歴絞り込み一覧表示制御手段は、前記検索履歴一覧表示制御手段により左右方向に一覧表示された各検索画面の画像データに対する斜め上方向又は斜め下方向へのユーザ操作に応じて、当該各検索画面の画像データのうち、前記検索対象画面の画像データのみ又は前記検索結果画面の画像データのみを一覧表示させる、
ことを特徴とする［３］に記載の情報検索装置。
【０１４１】
［５］
前記履歴画像選択手段により一定時間以上同じ検索画面の画像データが選択されたか否かを判断する選択継続判断手段を備え、
前記検索画面再表示制御手段は、前記選択継続判断手段により一定時間以上同じ検索画面の画像データが選択されたと判断された場合に、当該選択された画像データと対応付けられて前記検索履歴登録手段により登録されている動作データに基づき、同画像データに対応する検索画面を再生成して前記表示部に表示させる、
ことを特徴とする［１］ないし［４］の何れかに記載の情報検索装置。
【０１４２】
［６］
任意のテキストデータを前記表示部に表示させるテキスト表示制御手段と、
このテキスト表示制御手段により表示されたテキストデータの中の任意の検索対象をユーザ操作に応じて指定する検索対象指定手段とを備え、
前記検索画面生成手段は、前記検索対象指定手段により指定された検索対象に基づく検索処理に対応して当該検索対象と一致する検索対象を含む検索対象画面と当該検索対象の検索結果を含む検索結果画面とを順次生成して前記表示部に表示させ、
前記一覧表示制御手段により各検索画面の画像データが前記表示部に一覧表示された後に、ユーザ操作に応じてユーザ登録モードを設定するユーザ登録モード設定手段と、
このユーザ登録モード設定手段によりユーザ登録モードが設定された状態で、前記一覧表示制御手段により一覧表示された各検索画面の画像データの何れかをユーザ操作に応じて指定する履歴画像指定手段と、
この履歴画像指定手段により指定された画像データを、前記テキスト表示制御手段により表示され前記検索対象指定手段により指定されたテキストデータの中の検索対象に対応付けて登録するユーザ登録手段と、
を備えたことを特徴とする［１］ないし［５］の何れかに記載の情報検索装置。
【０１４３】
［７］
検索履歴登録手段は、前記検索画面生成手段により前記各検索画面が順次生成されて表示される毎に、当該検索画面の画像データと当該検索画面の生成に伴う動作情報とを対応付けて登録する画像データ検索履歴登録手段を、
を備えたことを特徴とする［１］ないし［６］の何れかに記載の情報検索装置。
【０１４４】
［８］
表示部を備えた電子機器のコンピュータを制御するための情報検索方法であって、
ユーザ操作に応じた検索処理に対応して検索対象を含む検索対象画面と当該検索対象の検索結果を含む検索結果画面とを順次生成して前記表示部に表示させ、
前記検索処理に対応した各検索画面が順次生成されて表示される毎の当該各検索画面の生成に伴う動作情報を登録し、
この登録された各動作情報に対応する各検索画面の画像データのうち、前記検索対象画面の画像データのみ又は前記検索結果画面の画像データのみを前記表示部に一覧表示させ、
前記一覧表示された各検索画面の画像データの何れかをユーザ操作に応じて選択し、
この選択された画像データと対応付けられて前記登録されている動作データに基づき、当該画像データに対応する検索画面をユーザ操作可能に再生成して、前記表示部に表示させる、
ことを特徴とする情報検索方法。
【０１４５】
［９］
表示部を備えた電子機器のコンピュータを制御するためのプログラムであって、
前記コンピュータを、
ユーザ操作に応じた検索処理に対応して検索対象を含む検索対象画面と当該検索対象の検索結果を含む検索結果画面とを順次生成して前記表示部に表示させる検索画面生成手段、
前記検索画面生成手段により前記各検索画面が順次生成されて表示される毎の当該各検索画面の生成に伴う各動作情報を登録する検索履歴登録手段、
この検索履歴登録手段により登録された各動作情報に対応する各検索画面の画像データのうち、前記検索対象画面の画像データのみ又は前記検索結果画面の画像データのみを前記表示部に一覧表示させる検索履歴絞り込み一覧表示制御手段、
前記検索履歴絞り込み一覧表示制御手段により一覧表示された各検索画面の画像データの何れかをユーザ操作に応じて選択する履歴画像選択手段、
この履歴画像選択手段により選択された画像データと対応付けられて前記検索履歴登録手段により登録されている動作データに基づき、当該画像データに対応する検索画面をユーザ操作可能に再生成して、前記表示部に表示させる検索画面再表示制御手段、
として機能させるためのプログラム。
【符号の説明】
【０１４６】
１０  …タッチパネル式ＰＤＡ
１１  …ＣＰＵ
１２  …メモリ
１２ａ…情報検索制御プログラム
１２ｂ…辞書データベース
１２ｃ…テキストデータベース
１２ｄ…検索履歴データベース
１２ｅ…ユーザ登録履歴データベース
１３  …外部記録媒体
１４  …記録媒体読取部
１５  …通信部
１６  …キー入力部
１７  …タッチパネル式カラー表示部
Ｔ    …ユーザタッチ
Ｇａｎ…［複数辞書ジャンプ検索画面］（検索対象画面）
Ｌｍ  …見出し語一覧エリア
ｖｉ  …プレビューエリア
Ｇｂｎ…［説明情報表示画面］（検索結果画面）
ｈ    …指定表示
ＨＳ  …検索履歴アイコン
Ｇｓｈ…検索履歴画像画面
Ｐｎｓ…各検索対象画面の画像データ
Ｐｎｒ…各検索結果画面の画像データ
ＲＨ  …履歴登録アイコン
ＤRH  …ユーザ登録履歴アイコン
【図１】
2014089677.tif 000003
【図２】
2014089677.tif 000004
【図３Ａ】
2014089677.tif 000005
【図３Ｂ】
2014089677.tif 000006
【図４Ａ】
2014089677.tif 000007
【図４Ｂ】
2014089677.tif 000008
【図５】
2014089677.tif 000009
【図６】
2014089677.tif 000010
【図７】
2014089677.tif 000011
【図８】
2014089677.tif 000012
【図９Ａ】
2014089677.tif 000013
【図９Ｂ】
2014089677.tif 000014
【図９Ｃ】
2014089677.tif 000015
【図９Ｄ】
2014089677.tif 000016
【図９Ｅ】
2014089677.tif 000017
【図９Ｆ】
2014089677.tif 000018
【図９Ｇ】
2014089677.tif 000019